(57)【要約】【課題】天井に容易に取り付けできるようにする。【解決手段】送風装置（１）は、シーリングローゼット（１２）に取り付けられ、天井と平行な方向の中央部よりも外周側寄りの位置にロック爪（３３）を有する天井取付部（２１）と、送風機（４２）、およびロック爪（３３）に対して嵌脱自在のロックレバー（４１）を有し、ロックレバー（４１）がロック爪（３３）に嵌合した状態にて、ロック爪（３３）により支持される本体部（２２）とを備える。【選択図】図１
2018076787.tif 000002
【特許請求の範囲】
【請求項１】
シーリングローゼットに取り付けられ、天井と平行な方向の中央部よりも外周側寄りの位置に第１嵌合部を有する天井取付部と、
送風機、および前記第１嵌合部に対して嵌脱自在の第２嵌合部を有し、前記第２嵌合部が前記第１嵌合部に嵌合した状態にて、前記第１嵌合部により支持される本体部とを備えていることを特徴とする送風装置。
【請求項２】
前記第１嵌合部および前記第２嵌合部は、鉤型部を有し、
前記第１嵌合部は前記天井取付部の周方向に、前記第２嵌合部は前記本体部の周方向に、それぞれ複数個が分散して設けられ、
前記第１嵌合部と前記第２嵌合部とは、
一方が他方に対して、前記天井取付部または前記本体部の中心と外周とを結ぶ方向において移動可能であり、
前記鉤型部同士が互いに接近して嵌合状態となり、前記鉤型部同士が互いに離れて嵌合解除状態となることを特徴とする請求項１に記載の送風装置。
【請求項３】
前記第１嵌合部または前記第２嵌合部は、先端部に回転防止嵌合部を有し、
前記天井取付部または前記本体部は、前記回転防止嵌合部と対向する位置に、前記第１嵌合部と前記第２嵌合部との嵌合時に、前記回転防止嵌合部が嵌合し、前記天井取付部に対する前記本体部の回転を防止する回転防止嵌合受部を有していることを特徴とする請求項２に記載の送風装置。
【請求項４】
前記天井取付部は、
前記シーリングローゼットに取り付けられて、前記シーリングローゼットから給電される接続アダプタと、
前記接続アダプタから引き出された電源コードを保持する電源コード保持部材とを備え、
前記送風機は前記本体部の天井と平行な方向の中央部に配置され、
前記電源コード保持部材は、前記送風機に対応する位置よりも外側にて前記電源コードを保持し、かつ前記電源コードを前記天井取付部の下方へ案内することを特徴とする請求項１から３のいずれか１項に記載の送風装置。
【請求項５】
前記天井取付部は、前記シーリングローゼットの周りにおいて天井と平行な方向に広がる天井取付部基板を備え、
前記天井取付部基板には、前記第１嵌合部が設けられていることを特徴とする請求項１から４のいずれか１項に記載の送風装置。
【発明の詳細な説明】
【技術分野】
【０００１】
本発明は、送風機を備えた送風装置に関する。
【背景技術】
【０００２】
従来、家屋の天井に取り付ける空気清浄機等の各種電気機器が開発されている。それら、電気機器は、天井に取り付けられ、天井に設けられているシーリングローゼットから給電されるようになっている。
【０００３】
特許文献１には、シーリングローゼットに対して、引掛シーリングアダプタを取り付け、このシーリングアダプタに対して電源ユニットおよび光源ユニットを取り付ける照明器具が開示されている。
【０００４】
特許文献２には、シーリングローゼットに対してアダプタを取り付け、このアダプタに対して、アダプタを下から覆う中継具を嵌合させ、この中継具に電気器具をねじ止めする電気器具の天井取付構造が開示されている。
【０００５】
一方、天井に取り付けられる電気機器として、特許文献３に記載のように、ファンおよびモータを有する送風機を備えたものが開発されている。
【０００６】
特許文献３には、シーリングローゼットを中心として天井に取り付けられる天井取付型空気清浄機が開示されている。この空気清浄機は、内部に環状の照明灯を収容している照明器具の上側に、電動モータおよびファンを有しており、電動モータおよびファンは、シーリングローゼットの真下に位置している。
【０００７】
具体的には、上記空気清浄機は、シーリングローゼットの周りの天井に小径の取付体が設けられ、大径の上下の案内板により形成されているケーシングの内部に、送風機の電動モータおよびファンが設けられている。電動モータおよびファンは、上下方向に延びる軸体に取り付けられ、上記軸体の上端部が掛止体を介して上記取付体に取り付けられている。
【０００８】
また、下側の案内板の下面に照明灯が取り付けられ、上記照明灯を覆うように、下側の案内板にグローブが取り付けられている。さらに、上記上下の案内板の間の吸込口にフィルタが設けられている。
【先行技術文献】
【特許文献】
【０００９】
【特許文献１】特開２０１３−１６５０４６号公報
【特許文献２】特許５１０１３２９号公報
【特許文献３】特開２０００−１６１７２９号公報
【発明の概要】
【発明が解決しようとする課題】
【００１０】
特許文献３に記載の構成では、送風機を備えた空気清浄機を天井に取り付ける場合に、シーリングローゼットの周りに設けられた取付体に対して、ねじ等の締結部材を使用して順次各部品を組み付けていくようになっている。しかしながら、このような構成では、高所での取り付け作業が繁雑になるという問題点を有している。
【００１１】
したがって、本発明は、天井に容易に取り付けることができる送風装置の提供を目的としている。
【課題を解決するための手段】
【００１２】
上記の課題を解決するために、本発明の一態様に係る送風装置は、シーリングローゼットに取り付けられ、天井と平行な方向の中央部よりも外周側寄りの位置に第１嵌合部を有する天井取付部と、送風機、および前記第１嵌合部に対して嵌脱自在の第２嵌合部を有し、前記第２嵌合部が前記第１嵌合部に嵌合した状態にて、前記第１嵌合部により支持される本体部とを備えている。
【発明の効果】
【００１３】
本発明の一態様によれば、ねじなどの手作業による締結作業が必要となる締結部材を使用することなく、天井取付部に対して本体部を容易に取り付けることができる。これにより、高所での天井への送風装置１の取り付け作業を容易に行うことができる。
【図面の簡単な説明】
【００１４】
【図１】本発明の実施形態の送風装置を部屋の天井へ取り付けた状態の縦断面図である。
【図２】図１に示した送風装置の分解斜視図である。
【図３】図２に示した天井取付部基板に電源コード保持部材を取り付けた状態の天井取付部を斜め下方から見た場合の斜視図である。
【図４】図４の(ａ)は、図１に示した送風装置の平面図、図４の(ｂ)は、図１に示した送風装置の縦断面図である。
【図５】図１に示した送風装置を斜め上方から見た場合の斜視図である。
【図６】図１に示した送風装置の照明カバーを除去した状態を斜め下方から見た場合の斜視図である。
【図７】図１に示した送風装置の、送風通路の上部カバーを除去した状態を示す平面図である。
【図８】図８の（ａ）は、本発明の他の実施形態の送風装置の平面図、図８の（ｂ）は、本発明の他の実施形態の送風装置の縦断面図である。
【図９】図８に示した送風装置を斜め下方から見た場合の分解斜視図である。
【図１０】図８に示した送風装置を斜め上方から見た場合の分解斜視図である。
【図１１】本発明のさらに他の実施形態の送風装置の縦断面、および送風装置の本体部から取り外した状態のフィルタ保持部材の縦断面を示す図である。
【図１２】図１１に示した送風装置のカバー部材を開放した状態を示す縦断面図である。
【発明を実施するための形態】
【００１５】
〔実施形態１〕
本発明の実施形態を図面に基づいて以下に説明する。図１は、本実施形態の送風装置１を部屋の天井へ取り付けた状態の縦断面図である。図２は、図１に示した送風装置１の分解斜視図である。
【００１６】
図１に示すように、家屋の天井パネル（天井）１１には、例えば引掛シーリングローゼットであるシーリングローゼット１２が設けられており、送風装置１はシーリングローゼット１２に取り付けられている。送風装置１は、図１および図２に示すように、シーリングローゼット１２に直接取り付けられる天井取付部２１と、天井取付部２１に取り付けられる本体部２２とを有している。
【００１７】
（天井取付部２１の構成）
図３は、図２に示した天井取付部基板３２に電源コード保持部材５４を取り付けた状態の天井取付部２１を斜め下方から見た場合の斜視図である。
【００１８】
天井取付部２１は、図１〜図３に示すように、接続アダプタ３１、天井取付部基板３２、ロック爪（第１嵌合部）３３および電源コード保持部材５４を有している。
【００１９】
接続アダプタ３１は、天井取付部基板３２の中央部に設けられ、シーリングローゼット１２に取り付けられる。天井取付部基板３２は、円板形の例えば金属板であり、接続アダプタ３１に取り付けられ、固定される。
【００２０】
ロック爪３３は、天井取付部基板３２の下面の外周部付近において、周方向に互いに１８０度隔てた位置に設けられている。ロック爪３３は、本体部２２のロックレバー（第２嵌合部）４１と嵌合し、本体部２２を支持する。ロック爪３３は、下部に鉤型部３３ｃを有し、さらに下端部に下方へ突出した凸部（回転防止嵌合部）３３ａを有している。
【００２１】
電源コード保持部材５４は、図３に示すように、天井取付部基板３２の下面に取り付けられ、接続アダプタ３１から引き出した電源コード５５を保持し、下方へ案内する。
【００２２】
電源コード保持部材５４は、シーリングローゼット１２（接続アダプタ３１）の真下に設けられた送風機４２を避けるように、天井取付部基板３２の径方向の外側位置に取り付けられている。電源コード保持部材５４は、例えば略Ｌ字形を有し、上部が天井取付部基板３２への取付け部５４ａとなっており、下部は下方へ延びる垂下部５４ｂとなっている。取付け部５４ａは、天井取付部基板３２に形成された複数の嵌合穴３２ａ（図４の(ａ)参照）に嵌合し、固定される。
【００２３】
電源コード保持部材５４の垂下部５４ｂは、天井取付部基板３２の中心方向が開口部となった溝形状を有し、内部に電源コード５５を這わす状態で収容する。これにより、電源コード保持部材５４に保持された電源コード５５は、送風装置１の外部（正確には天井取付部基板３２における径方向の外方）から見え難くなっている。
【００２４】
（本体部２２の構成）
図４の(ａ)は、送風装置１の平面図、図４の(ｂ)は、送風装置１の縦断面図である。図５は、送風装置１を斜め上方から見た場合の斜視図である。図６は、送風装置１を斜め下方から見た場合の斜視図である。なお、図６では、照明カバー５３およびカバー部材５１を除去した状態を示している。図７は、送風装置１における送風通路４３の上部カバーを除去した状態を示す平面図である。
【００２５】
本体部２２は、ロックレバー４１、送風機４２、送風通路４３、ＨＥＰＡフィルタフィルタ(High Efficiency Particulate Air Filter)４４、照明部４５およびイオン発生素子４７（図７参照）を備えている。
【００２６】
ロックレバー４１は本体部２２の上面の外周部付近に２個設けられ、それらロックレバー４１は、本体部２２の周方向に互いに１８０度隔てた位置に配置されている。ロックレバー４１は、上部に鉤型部４１ｃを有し、本体部２２を天井取付部２１に取り付けたときに、鉤型部４１ｃが天井取付部２１のロック爪３３の鉤型部３３ｃと嵌合する。すなわち、ロック爪３３とロックレバー４１とは、天井取付部２１および本体部２２の径方向（天井と平行な方向）において、鉤型部３３ｃと鉤型部４１ｃとが接近して嵌合状態となり、鉤型部３３ｃと鉤型部４１ｃとが離れて嵌合解除状態となる。このために、ロックレバー４１は、本体部２２の半径方向へ移動可能であり、半径方向の外方へばね４６によって押されている。
【００２７】
また、ロックレバー４１は、天井取付部２１のロック爪３３と嵌合する際に、ロック爪３３と摺接する傾斜面４１ａを上部、すなわち鉤型部４１ｃに有している。さらに、ロックレバー４１は、ロックレバー４１とロック爪３３との嵌合状態において、ロック爪３３の凸部３３ａが嵌合する溝部４１ｂを有している。
【００２８】
送風機４２は、接続アダプタ３１すなわちシーリングローゼット１２の真下の位置に配置され、ファン４８およびファン４８を回転させるモータ４９を備えている。これらファン４８およびモータ４９は、本体部２２の径方向（天井と平行な方向）の中央部に設けられている。ファン４８は、図７に示すように、送風通路４３の内部に設けられている。送風通路４３は、二つの吹出口４３ａを反対方向に有し、ファン４８が回転することにより、それら吹出口４３ａから空気を吹き出すようになっている。
【００２９】
イオン発生素子４７は、送風通路４３の二つの吹出口４３ａの近傍位置にそれぞれ設けられ、イオンを発生し、発生したイオンを吹出口４３ａから吹き出される空気に与える。
【００３０】
ＨＥＰＡフィルタ４４は、集塵フィルタとしての機能を有し、本体部２２の下部に設けられたフィルタ保持部材５０の上面に取り付けられている。フィルタ保持部材５０は、例えば、薄板の容器形状を有し、本体部２２に対する下方への移動により、および本体部２２へ向う上方への移動により、本体部２２に対して着脱自在となっていてもよい。
【００３１】
フィルタ保持部材５０の下にはカバー部材５１が設けられている。フィルタ保持部材５０とカバー部材５１との間には空間が形成され、フィルタ保持部材５０の下面には、例えば格子状に開口した空気吸込口５０ａが形成されている。カバー部材５１はフィルタ保持部材５０に対して着脱自在であってもよい。
【００３２】
照明部４５は、照明基板５２と照明基板５２を覆う照明カバー５３とを備えている。照明基板５２は、多数のＬＥＤが設けられ、ドーナツ板形状を有している。
【００３３】
また、本体部２２は、天井取付部２１から電源コード５５を介して供給される交流電力を直流電力に変換するＡＣ／ＤＣ変換部（図示せず）を備えている。ＡＣ／ＤＣ変換部は電源部として機能する。
【００３４】
ここで、送風装置１の重量および寸法、ならびにシーリングローゼット１２の一例を示す。送風装置１の重量は、７．５ｋｇ（天井取付部２１：１．５ｋｇ、本体部２２：６ｋｇ）、直径は６００ｍｍ、高さは２００ｍｍである。また、シーリングローゼット１２は、ＪＩＳ  Ｃ８３１０の規格に準じたものである。
【００３５】
（天井への送風装置１の取り付け）
上記の構成において、天井への送風装置１の取り付け方法について説明する。
【００３６】
まず、天井パネル（天井）１１に設けられているシーリングローゼット１２に対して接続アダプタ３１を取り付け、接続アダプタ３１に対して天井取付部基板３２を取り付ける。次に、天井取付部基板３２に電源コード保持部材５４を取り付け、接続アダプタ３１から引き出した電源コード５５を電源コード保持部材５４により保持し、垂下状に配置する。これにより、天井すなわちシーリングローゼット１２に対する天井取付部２１の取り付けが完了する。
【００３７】
次に、本体部２２を下方から天井取付部２１に取り付ける。この場合、天井取付部２１のロック爪３３と本体部２２のロックレバー４１とを位置合わせし、天井取付部２１に向って本体部２２を押し上げ、ロック爪３３にロックレバー４１を嵌合させる。これにより、ロック爪３３にて本体部２２が保持される。
【００３８】
この場合、ロックレバー４１の傾斜面４１ａがロック爪３３に対して摺接し、本体部２２の押し上げにしたがって、ロックレバー４１が本体部２２の径方向の内方へ移動する。その後、ロックレバー４１の傾斜面４１ａがロック爪３３の鉤型部３３ｃを通過すると、ロックレバー４１がばね４６に押されて本体部２２の径方向の外方へ移動し、ロックレバー４１がロック爪３３と嵌合する。また、ロックレバー４１がロック爪３３と嵌合した状態において、ロック爪３３の凸部３３ａがロックレバー４１の溝部４１ｂに嵌合する。これにより、天井取付部２１に対する本体部２２の回転が防止される。なお、本体部２２の回転防止用の凸部３３ａと溝部４１ｂとの関係は、これとは逆に、ロックレバー４１が凸部を有し、ロック爪３３あるいは天井取付部２１が溝部を有する関係であってもよい。
【００３９】
また、電源コード５５を本体部２２の接続アダプタ３１や照明部４５へ給電する電源回路（上記ＡＣ／ＤＣ変換部を含む）に接続し、天井取付部２１に対する本体部２２の取り付けが完了する。
【００４０】
なお、本体部２２を天井取付部２１から取り外す場合には、本体部２２の各ロックレバー４１を本体部２２の半径方向の内方へ押し込み、天井取付部２１のロック爪３３に対するロックレバー４１の嵌合を解除する。この状態において、本体部２２を下方へ引き下げることにより、本体部２２を天井取付部２１から取り外すことができる。
【００４１】
（送風装置１の利点）
送風装置１は、天井取付部２１をシーリングローゼット１２に取り付け、天井取付部２１のロック爪３３に本体部２２のロックレバー４１を嵌合させることにより、天井取付部２１に対して本体部２２を取り付け、天井取付部２１により本体部２２を支持するようになっている。したがって、ねじなどの締結部材を使用することなく、天井取付部２１に対して本体部２２を容易に取り付けることができる。これにより、高所での天井への送風装置１の取り付け作業を容易に行うことができる。
【００４２】
また、天井取付部２１のロック爪３３と本体部２２のロックレバー４１とは、天井取付部２１または本体部２２の中心と外周とを結ぶ方向において相対的に移動可能であり、天井取付部２１と本体部２２とは、ロック爪３３の鉤型部３３ｃとロックレバー４１の鉤型部４１ｃとが互いに接近して嵌合状態となり、ロック爪３３の鉤型部３３ｃとロックレバー４１の鉤型部４１ｃとが互いに離れて嵌合解除状態となる。したがって、簡単な構成にて、ロック爪３３とロックレバー４１、すなわち天井取付部２１と本体部２２との嵌合状態および嵌合解除状態を得ることができる。
【００４３】
また、本体部２２を天井取付部２１へ取り付けた際のロック爪３３とロックレバー４１との嵌合時には、凸部３３ａが溝部４１ｂに対して嵌合される。これにより、簡単な構成にて、天井取付部２１に対する本体部２２の不要な回転を防止し、天井取付部２１に対して本体部２２を固定することができる。
【００４４】
また、送風機４２は本体部２２の天井と平行な方向の中央部に配置され、電源コード保持部材５４は、送風機４２に対応する位置よりも外側にて電源コード５５を保持し、かつ電源コード５５を天井取付部２１の下方へ案内する。したがって、電源コード保持部材５４は、送風機４２の位置を避けて、電源コード５５を確実に本体部２２へ導くことができる。これにより、作業者は、電源コード５５と本体部２２との接続を容易に行うことができる。また、電源コード保持部材５４により電源コード５５を保持すること、および電源コード保持部材５４を本体２２の内部に構成することにより、外部から電源コード５５が見え難くなっている。これにより、送風装置１の美観を向上することができる。
【００４５】
なお、本実施形態において、送風装置１は、イオン発生素子４７（イオン発生装置）、送風機４２、ＨＥＰＡフィルタ４４および照明部４５を備えた構成としているが、これに限定されず、少なくとも送風機４２を備えた構成であればよい。この点は以下の実施形態においても同様である。
【００４６】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００４７】
（送風装置２の構成）
図８の（ａ）は、本実施形態の送風装置２の平面図、図８の（ｂ）は、本実施形態の送風装置２の縦断面図である。図９は、図８に示した送風装置２を斜め下方から見た場合の分解斜視図である。図１０は、図８に示した送風装置２を斜め上方から見た場合の分解斜視図である。
【００４８】
図８〜図１０に示すように、送風装置２は、天井取付部６１および本体部６２を備えている。本体部６２は、前述した送風装置１の本体部２２と同様の構成である。一方、天井取付部６１は送風装置１の天井取付部２１とは異なる構成となっている。
【００４９】
具体的には、天井取付部６１は、前述の接続アダプタ３１に相当する接続アダプタ部７１を備え、接続アダプタ部７１が天井取付部６１の筐体部７２と一体に設けられている。筐体部７２は、上方へ凸状に緩い湾曲形状となっている。
【００５０】
筐体部７２の内部には、前述した天井取付部基板３２に対応する筐体基板部７３が設けられ、この筐体基板部７３に前述したロック爪３３が設けられている。天井取付部６１が備えるロック爪３３と本体部６２が備えるロックレバー４１との関係は、前述した送風装置１の場合と同様である。また、送風装置２の図示しない部分も含めた他の構成は、送風装置１と同様である。
【００５１】
また、天井取付部６１は、ＡＣ／ＤＣ変換部（図示せず）を備え、直流電力を本体部６２に供給できるようになっている。なお、ＡＣ／ＤＣ変換部は、本体部６２に設けられていてもよい。
【００５２】
（天井への送風装置２の取り付け）
上記の構成において、天井への送風装置２の取り付け方法について説明する。
【００５３】
まず、天井パネル（天井）１１に設けられているシーリングローゼット１２に対して天井取付部６１を取り付ける。この場合には、シーリングローゼット１２に対して天井取付部６１の接続アダプタ部７１を取り付ける。また、シーリングローゼット１２への天井取付部６１の取り付けにより、天井取付部６１がシーリングローゼット１２と電気的に接続される。
【００５４】
次に、本体部６２を下方から天井取付部６１に取り付ける。この場合には、送風装置１の場合と同様に、天井取付部２１のロック爪３３と本体部２２のロックレバー４１とを位置合わせし、天井取付部６１に向って本体部６２を押し上げ、ロック爪３３にロックレバー４１を嵌合させる。これにより、ロック爪３３にて本体部２２が保持される。
【００５５】
また、天井取付部６１から引き出した電源コード（図示せず）を本体部６２と接続し、天井取付部６１に対する本体部６２の取り付けが完了する。なお、天井取付部６１と本体部６２との電気的な接続は、上記電源コードによる接続に代えて、天井取付部６１に対して本体部６２を取り付ける（嵌合する）際に、天井取付部６１と本体部６２とに設けられた電気的接続部により行われる構成であってもよい。
【００５６】
（送風装置２の利点）
送風装置２では、天井取付部６１が接続アダプタ部７１を備え、接続アダプタ部７１をシーリングローゼット１２に取り付けることにより、天井取付部６１を直接シーリングローゼット１２に取り付けるようになっている。したがって、接続アダプタ部７１は天井取付部６１の内部において予め電気的な接続を済ましておくことができ、シーリングローゼット１２に対する天井取付部６１の取り付け時に、接続アダプタ部７１から引き出した電源コードを天井取付部６１に接続する作業が不要となる。同様に、天井取付部６１と本体部６２の電気接続も嵌合部分で行うことが可能である。
【００５７】
送風装置１の天井取付部基板３２を備えていることの利点を除き、送風装置２のその他の利点については、送風装置１と同様である。
【００５８】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００５９】
（送風装置３の構成）
図１１は、本実施形態の送風装置３の縦断面、および送風装置３の本体部２２から取り外した状態のフィルタ保持部材５０の縦断面を示す図である。図１２は、本実施形態の送風装置３のカバー部材５１を開放した状態を示す縦断面図である。
【００６０】
図１１に示すように、送風装置３では、前述の送風装置１〜２と同様、ＨＥＰＡフィルタ４４が取り付けられているフィルタ保持部材５０は本体部２２に対して着脱自在となっている。また、図１２に示すように、カバー部材５１は、フィルタ保持部材５０の下面に対する対向位置から非対向位置へ移動可能となっている。この場合のカバー部材５１の移動は、カバー部材５１の開閉動作に相当する。
【００６１】
具体的には、ＨＥＰＡフィルタ４４が取り付けられているフィルタ保持部材５０は、本体部２２に対する下方への移動により、および本体部２２へ向う上方への移動により、本体部２２に対して着脱自在となっている。なお、フィルタ保持部材５０を本体部２２に嵌合する場合（固定する場合）のフィルタ保持部材５０に対する操作は、本体部２２に対してフィルタ保持部材５０を押し付けること、あるいは本体部２２に対してフィルタ保持部材５０を回転させることにより行う構成であってもよい。したがって、送風装置３では、フィルタ保持部材５０を本体部２２から取り外すことにより、同時にＨＥＰＡフィルタ４４を本体部２２から取り外しできるようになっている。
【００６２】
カバー部材５１は、一端部がヒンジ部５６によってフィルタ保持部材５０と連結されており、フィルタ保持部材５０の下面を開放する状態とフィルタ保持部材５０の下面を覆う状態とに開閉可能となっている。なお、カバー部材５１は、閉状態において、端部がフィルタ保持部材５０と嵌合し、閉状態を維持するようになっている。
【００６３】
（ＨＥＰＡフィルタ４４の清掃および交換）
ＨＥＰＡフィルタ４４を清掃あるいは交換する場合には、図１１に示すように、本体部２２からフィルタ保持部材５０を取り外すことにより、同時にＨＥＰＡフィルタ４４を本体部２２から取り外すことができる。
【００６４】
また、ＨＥＰＡフィルタ４４を簡単に清掃する場合には、図１２に示すように、フィルタ保持部材５０を本体部２２から取り外すことなく、カバー部材５１を開放し、フィルタ保持部材５０の空気吸込口５０ａから例えば掃除機での吸い込みによりＨＥＰＡフィルタ４４を清掃してもよい。
【００６５】
なお、本実施形態では、カバー部材５１はフィルタ保持部材５０に対して連結され、フィルタ保持部材５０の下面を開閉する構成としている。しかしながら、カバー部材５１は完全にフィルタ保持部材５０から取り外しできる構成であってもよい。送風装置３のその他の構成は、送風装置１〜２と同様である。
【００６６】
（送風装置３の利点）
送風装置３では、ＨＥＰＡフィルタ４４を保持するフィルタ保持部材５０は、送風装置３の下部に設けられ、送風装置１（本体部２２）から下方へ取り外しできるようになっている。したがって、専門の清掃業者でない一般のユーザであっても、送風装置３からＨＥＰＡフィルタ４４を容易に取り外し、清掃および交換することができる。
【００６７】
また、フィルタ保持部材５０の下面側に設けられているカバー部材５１は、フィルタ保持部材５０の下面に対して開閉自在となっている。したがって、ＨＥＰＡフィルタ４４を簡単に清掃する場合には、フィルタ保持部材５０を取り外すことなく、カバー部材５１のみを開放して、フィルタ保持部材５０の下面の空気吸込口５０ａからＨＥＰＡフィルタ４４を容易に清掃することができる。
【００６８】
この場合、カバー部材５１はフィルタ保持部材５０にぶら下がった状態に保持できるので、ＨＥＰＡフィルタ４４を清掃する作業がさらに容易になり、また、カバー部材５１をフィルタ保持部材５０に取り付ける作業が容易になる。送風装置３のその他の利点は、送風装置１〜２と同様である。
【００６９】
〔まとめ〕
本発明の態様１に係る送風装置１は、シーリングローゼット１２に取り付けられ、天井と平行な方向の中央部よりも外周側寄りの位置に第１嵌合部（ロック爪３３）を有する天井取付部２１と、送風機４２、および前記第１嵌合部に対して嵌脱自在の第２嵌合部（ロックレバー４１）を有し、前記第２嵌合部が前記第１嵌合部に嵌合した状態にて、前記第１嵌合部により支持される本体部２２とを備えている。
【００７０】
上記の構成によれば、送風装置１を天井に取り付ける場合には、シーリングローゼット１２に天井取付部２１を取り付け、天井取付部２１の第１嵌合部に対して本体部２２の第２嵌合部を嵌合させる。これにより、第２嵌合部が第１嵌合部に嵌合した状態にて、第１嵌合により本体部２２を支持することができる。
【００７１】
したがって、ねじなどの手作業による締結作業が必要となる締結部材を使用することなく、天井取付部２１に対して本体部２２を容易に取り付けることができる。これにより、高所での天井への送風装置１の取り付け作業を容易に行うことができる。
【００７２】
また、送風機４２は、本体部２２において相対的に重量物であり、バランス上、本体部２２において、天井と平行な方向の中央部に設けられる。一方、天井取付部２１の第１嵌合部（ロック爪３３）は、天井取付部２１において、天井と平行な方向の中央部よりも外周側寄りの位置に設けられる。したがって、第１嵌合部と嵌合する、本体部２２の第２嵌合部（ロックレバー４１）も、本体部２２において、天井と平行な方向の中央部よりも外周側寄りの位置に設けられる。これにより、第１嵌合部および第２嵌合部は、送風機４２の位置を避けた適切な位置に配置されている。
【００７３】
本発明の態様２に係る送風装置１は、上記態様１において、前記第１嵌合部（ロック爪３３）および前記第２嵌合部（ロックレバー４１）は、鉤型部３３ｃ，４１ｃを有し、前記第１嵌合部は前記天井取付部２１の周方向に、前記第２嵌合部は前記本体部２２の周方向に、それぞれ複数個が分散して設けられ、前記第１嵌合部と前記第２嵌合部とは、一方が他方に対して、前記天井取付部２１または前記本体部２２の中心と外周とを結ぶ方向において移動可能であり、前記鉤型部３３ｃ，４１ｃ同士が互いに接近して嵌合状態となり、前記鉤型部３３ｃ，４１ｃ同士が互いに離れて嵌合解除状態となる。
【００７４】
上記の構成によれば、第１嵌合部と第２嵌合部とは、鉤型部３３ｃ，４１ｃ同士が互いに接近して嵌合状態となり、鉤型部３３ｃ，４１ｃ同士が互いに離れて嵌合解除状態となる。これにより、簡単な構成にて嵌合状態および嵌合解除状態を得ることができる。
【００７５】
本発明の態様３に係る送風装置１は、上記態様２において、前記第１嵌合部（ロック爪３３）または前記第２嵌合部（ロックレバー４１）は、先端部に回転防止嵌合部（凸部３３ａ）を有し、前記天井取付部２１または前記本体部２２は、前記回転防止嵌合部と対向する位置に、前記第１嵌合部と前記第２嵌合部との嵌合時に、前記回転防止嵌合部が嵌合し、前記天井取付部２１に対する前記本体部２２の回転を防止する回転防止嵌合受部（溝部４１ｂ）を有している。
【００７６】
上記の構成によれば、第１嵌合部と第２嵌合部との嵌合時には、回転防止嵌合部が回転防止嵌合受部に嵌合し、天井取付部２１に対する本体部２２の回転が防止される。これにより、簡単な構成にて、天井取付部２１に対する本体部２２の不要な回転を防止し、天井取付部２１に対して本体部２２を固定することができる。
【００７７】
本発明の態様４に係る送風装置１は、上記態様１から３のいずれか１態様において、前記天井取付部２１は、前記シーリングローゼット１２に取り付けられて、前記シーリングローゼット１２から給電される接続アダプタ３１と、前記接続アダプタ３１から引き出された電源コード５５を保持する電源コード保持部材５４とを備え、前記送風機４２は前記本体部２２の天井と平行な方向の中央部に配置され、前記電源コード保持部材５４は、前記送風機４２に対応する位置よりも外側にて前記電源コード５５を保持し、かつ前記電源コード５５を前記天井取付部２１の下方へ案内する。
【００７８】
上記の構成によれば、送風機４２は本体部２２の天井と平行な方向の中央部に配置され、電源コード保持部材５４は、送風機４２に対応する位置よりも外側にて電源コード５５を保持し、かつ電源コード５５を天井取付部２１の下方へ案内する。したがって、電源コード保持部材５４は、送風機４２の位置を避けて、電源コード５５を確実に本体部２２へ導くことができる。これにより、作業者は、電源コード５５と本体部２２との接続を容易に行うことができる。
【００７９】
本発明の態様５に係る送風装置１は、上記態様１から４のいずれか１態様において、前記天井取付部２１は、前記シーリングローゼット１２の周りにおいて天井と平行な方向に広がる天井取付部基板３２を備え、前記天井取付部基板３２には、前記第１嵌合部（ロック爪３３）が設けられている。
【００８０】
上記の構成によれば、まず、天井取付部２１をシーリングローゼット１２に取り付け、その後、天井取付部２１の天井取付部基板３２に設けられた第１嵌合部に本体部２２の第２嵌合部（ロックレバー４１）を嵌合させて天井取付部２１に本体部２２を取り付けることにより、簡単な構成にてシーリングローゼット１２への送風装置１の取り付けを容易に行うことができる。
【００８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８２】
１〜３    送風装置
１１    天井パネル
１２    シーリングローゼット
２１    天井取付部
２２    本体部
３１    接続アダプタ
３２    天井取付部基板
３３    ロック爪（第１嵌合部）
３３ａ  凸部（回転防止嵌合部）
３３ｃ  鉤型部
４１    ロックレバー（第２嵌合部）
４１ａ  傾斜面
４１ｂ  溝部（回転防止嵌合受部）
４１ｃ  鉤型部
４２    送風機
４３    送風通路
４３ａ  吹出口
４４    ＨＥＰＡフィルタ
４５    照明部
５０    フィルタ保持部材
５０ａ  空気吸込口
５１    カバー部材
５２    照明基板
５３    照明カバー
５４    電源コード保持部材
５４ａ  取付け部
５４ｂ  垂下部
５５    電源コード
５６    ヒンジ部
６１    天井取付部
６２    本体部
７１    接続アダプタ部
７２    筐体部
【図１】
2018076787.tif 000003
【図２】
2018076787.tif 000004
【図３】
2018076787.tif 000005
【図４】
2018076787.tif 000006
【図５】
2018076787.tif 000007
【図６】
2018076787.tif 000008
【図７】
2018076787.tif 000009
【図８】
2018076787.tif 000010
【図９】
2018076787.tif 000011
【図１０】
2018076787.tif 000012
【図１１】
2018076787.tif 000013
【図１２】
2018076787.tif 000014